(57)【要約】  靴（１０）は、アッパー（１２）の一部又は全部が経編地（１）で形成されており、経編地（１）は、基部と、該基部上に編み立て方向に沿って相互に平行に形成された複数の凸条部とを有し、前記凸条部は、編み立て方向に沿って延びた編み列からなる頂部と、編み立て方向に沿って延び、前記基部側が該基部に編み込まれるとともに、前記頂部側が該頂部に係止され、該基部と頂部とを連結するように編成された編み列からなる２つの側壁部とからなり、前記頂部及び２つの側壁部のうち、少なくとも１つの部位は、他の部位と異なる色が配置されている。
2017208366.tif 000002
【特許請求の範囲】
【請求項１】
基部と、該基部上に編み立て方向に沿って相互に平行に形成された複数の凸条部とを有し、
前記凸条部は、編み立て方向に沿って延びた編み列からなる頂部と、編み立て方向に沿って延び、前記基部側が該基部に編み込まれるとともに、前記頂部側が該頂部に係止され、該基部と頂部とを連結するように編成された編み列からなる２つの側壁部とからなり、
前記頂部及び２つの側壁部のうち、少なくとも１つの部位は、他の部位と異なる色が配置されている編地によって、アッパー材の一部又は全部が形成されていることを特徴とする靴。
【請求項２】
２つの側壁部にて異なる色が配置されていることを特徴とする請求項１に記載の靴。
【請求項３】
２つの側壁部に配置されている色が、１つの編み列中で変化することを特徴とする請求項２に記載の靴。
【請求項４】
２つの側壁部の少なくとも一部が接していることを特徴とする請求項１〜３のいずれか１項に記載の靴。
【請求項５】
２つの側壁部の少なくとも一部が繊維によって連結されていることを特徴とする請求項１〜３のいずれか１項に記載の靴。
【請求項６】
前記頂部は、連結糸によって連結された少なくとも２列の鎖編み列からなり、
前記２つの側壁部は、それぞれ鎖編み列からなり、
前記側壁部の鎖編み列は、頂部側に形成されたループが前記頂部の鎖編み列中に挿入状態で係止されていることを特徴とする請求項１〜５のいずれか１項に記載の靴。
【請求項７】
前記各凸条部における頂部の一部と、該凸条部に隣接する他の凸条部における頂部の一部との間に前記連結糸が架け渡され、メッシュ部が形成されていることを特徴とする請求項１〜６のいずれか１項に記載の靴。
【請求項８】
前記各凸条部における頂部の一部と、該凸条部に隣接する他の凸条部における頂部の一部との間を連結するように編成された、少なくとも１つの切れ目を有する編み領域が形成されていることを特徴とする請求項１〜６のいずれか１項に記載の靴。
【請求項９】
前記基部における、前記各凸条部と該凸条部に隣接する他の凸条部との間に、少なくとも１列の編み列が形成されていることを特徴とする請求項１〜８のいずれか１項に記載の靴。
【請求項１０】
前記基部は、メッシュ状に形成されていることを特徴とする請求項１〜９のいずれか１項に記載の靴。
【請求項１１】
前記基部は、透明糸からなることを特徴とする請求項１〜１０のいずれか１項に記載の靴。
【請求項１２】
前記編み列は、前記靴のソールが載置される基準面と直交する方向に対して＋６０°以内となるように配置されていることを特徴とする請求項１〜１１のいずれか１項に記載の靴。
【請求項１３】
前記編み列は、前記靴のソールが載置される基準面と直交する方向に対して＋３０°から＋６０°の範囲内となるように配置されていることを特徴とする請求項１〜１１のいずれか１項に記載の靴。
【請求項１４】
少なくともアッパーの母趾球部が、前記編地によって形成されていることを特徴とする請求項１〜１３のいずれか１項に記載の靴。
【請求項１５】
少なくともアッパーの小趾球部が、前記編地によって形成されていることを特徴とする請求項１〜１３のいずれか１項に記載の靴。
【請求項１６】
少なくともアッパーの前足部が、前記編地によって形成されていることを特徴とする請求項１〜１３のいずれか１項に記載の靴。
【請求項１７】
少なくともアッパーの中足部が、前記編地によって形成されていることを特徴とする請求項１〜１３のいずれか１項に記載の靴。
【発明の詳細な説明】
【技術分野】
【０００１】
本発明は、色彩効果を発揮する編地をアッパー材に用いた靴に関する。
【背景技術】
【０００２】
靴のアッパー材には、求められる機能や性能に合わせて、織地や編地、合成皮革、樹脂などの種々の素材が用いられており、例えば、通気性や軽量性が求められるランニング用シューズやレーシング用シューズのアッパー材には、一般的に、メッシュ構造のダブルラッセル経編地が用いられている（特許文献１）。
【先行技術文献】
【特許文献】
【０００３】
【特許文献１】特開２００４−２３０１５１号公報
【発明の概要】
【発明が解決しようとする課題】
【０００４】
ところで、近年、靴に対して高いファッション性を求める需要者が増加しており、そのような需要者の要望に応えるべく、靴に優れた美観や躍動感を持たせることが、重要な課題の一つとなっている。しかしながら、上記一般的なダブルラッセル経編地は、それ自体ありふれたデザインであるものが大多数であり、靴に優れた美観等を持たせるという観点からすると、十分であるとは言えない。【０００５】
また、ランニング用シューズ等に用いられる一般的なダブルラッセル経編地においては、目付や厚みを調整することにより通気性などを変化させることができ、例えば、目付を小さくしたり、厚みを薄くしたりすることで通気性を高めることができる。しかしながら、この場合、目付を小さくすることや厚みを薄くすることに起因した耐久性の低下は避けられないため、従来の一般的なダブルラッセル経編地においては、通気性と耐久性とを両立することが難しいという問題がある。【０００６】
更に言えば、一般的なダブルラッセル経編地は、形状復元性が乏しい場合があり、着用回数が増えるにつれて、安定したフィット感が得られ難くなるという問題がある。このように、一般的なダブルラッセル経編地の形状復元性が乏しいのは、引張試験によって得られる応力−ひずみ曲線において、ヒステリシスが生じていることに起因している。【０００７】
本発明は以上の実情に鑑みなされたものであり、優れた美観や躍動感を有するとともに、通気性と耐久性とを兼ね備え、且つ、良好な形状復元性を備えた靴の提供を、その目的とする。
【課題を解決するための手段】
【０００８】
上記課題を解決するための本発明は、
基部と、該基部上に編み立て方向に沿って相互に平行に形成された複数の凸条部とを有し、
前記凸条部は、編み立て方向に沿って延びた編み列からなる頂部と、編み立て方向に沿って延び、前記基部側が該基部に編み込まれるとともに、前記頂部側が該頂部に係止され、該基部と頂部とを連結するように編成された編み列からなる２つの側壁部とからなり、
前記頂部及び２つの側壁部のうち、少なくとも１つの部位は、他の部位と異なる色が配置されている編地によって、アッパー材の一部又は全部が形成されている靴に係る。【０００９】
上記靴は、アッパー材の一部又は全部が前記編地によって形成されているため、優れた美観や躍動感を持ったものとなる。【００１０】
具体的に言うと、前記編地は、凸条部を構成する頂部及び２つの側壁部のうち、少なくとも１つの部位が、他の部位と異なる色が配置されていることによって、観察者が編み立て方向と交差する方向から編地を見る際の位置に応じて、視認される色が変化するという色彩効果を発揮する。【００１１】
例えば、頂部に配置する色と、２つの側壁部に配置する色とを変えた場合には、編地表面を正面から見ると、頂部に配置した色が視認され、編み立て方向と交差する方向から見ると、頂部に配置した色に加え、側壁部に配置した色が視認される。【００１２】
また、頂部及び一方の側壁部に配置する色と、他方の側壁部に配置する色とを変えた場合、一方の側壁部側から見ると、頂部及び一方の側壁部に配置した色が視認され、他方の側壁部側から見ると、当該他方の側壁部に配置した色が視認される。【００１３】
また、頂部及び２つの側壁部に配置する色を全て異なる色とした場合、編地表面を正面から見ると、頂部に配置した色が視認され、一方の側壁部側から見ると、頂部に配置した色に加え、当該一方の側壁部に配置した色が視認され、他方の側壁部側から見た場合には、頂部に配置した色及び他方の側壁部に配置した色が視認される。【００１４】
このように、前記編地は観察者が当該編地を見る際の位置に応じて視認される色が変化するという色彩効果を発揮するものであるため、当該編地によりアッパー材を形成することで、着用者の足の動きに応じて、編地表面に対する観察者の相対的な位置が変化し、上記色彩効果が発揮され、靴が優れた美観や躍動感を持ったものとなる。【００１５】
そして、上記編地は、その側壁部が基部に編み込まれるとともに、頂部に係止されていることにより、編地の凸条部自体の形状安定性が高く、外力が作用してもその形状が変形し難いため、色彩効果の程度が使用態様の影響を受け難く、安定した色彩効果が発揮される。したがって、上記靴は、着用された状態であっても、編地による色彩効果が安定して発揮され、優れた美観や躍動感を持ったものとなる。【００１６】
更に、上記靴においては、前記アッパー材を構成する編地が、従来の一般的なダブルラッセル経編地と異なり、その目付等が大きい場合であっても通気性が低下しないため、当該靴は、そのアッパーが耐久性と通気性とを兼ね備えたものとなる。【００１７】
加えて、前記編地は、従来のダブルラッセル経編地と比較して、応力−ひずみ曲線において、ヒステリシス現象が発生し難いため、当該編地によってアッパー材の一部又は全部が形成された靴は、アッパーが良好な形状復元性を有したものとなり、繰り返し着用した場合であってもフィット感の低下が起き難くなっている。【００１８】
尚、上記編地は、前記２つの側壁部にて異なる色が配置されていても良いし、２つの側壁部に配置されている色が１つの編み列中で変化しても良い。更に、２つの側壁部の少なくとも一部が接していても良いし、２つの側壁部の少なくとも一部が繊維によって連結されていても良い。このようにすれば、複雑な模様を表現することが可能となり、多様性に富んだ美観を持たせることができる。【００１９】
尚、前記編地において、前記頂部は、連結糸によって連結された少なくとも２列の鎖編み列からなり、前記２つの側壁部は、それぞれ鎖編み列からなり、前記側壁部の鎖編み列は、頂部側に形成されたループが前記頂部の鎖編み列中に挿入状態で係止されていることが好ましい。【００２０】
また、前記編地は、前記各凸条部における頂部の一部と、この凸条部に隣接する他の凸条部における頂部の一部との間に前記連結糸が架け渡され、メッシュ部が形成されていても良い。この場合、凸条部同士が相互に隣接する他の凸条部とメッシュ部によって連結された状態となるため、凸条部の形状安定性をより高めることができ、色彩効果がより安定して発揮される。更に、メッシュ部が形成されていることにより、当該メッシュ部の開口部分を通して凸条部が視認されるようになるため、メッシュ部がない場合と比較して、複雑な模様を表現することができ、靴の見た目に多様性を持たせることができる。【００２１】
更に、前記編地は、前記各凸条部における頂部の一部と、この凸条部に隣接する他の凸条部における頂部の一部との間を連結するように編成された、少なくとも１つの切れ目（開口部）を有する編み領域が形成されていても良い。この場合においても、上記と同様に、編み領域によって凸条部同士が連結された状態となり、当該凸条部の形状安定性が高まり、色彩効果が安定して発揮される。また、切れ目を通して凸条部が視認されるようになるため、編み領域が形成されていない場合に比べ、編地表面に現れる模様を複雑なものにすることができ、靴の外観のバリエーションを増やすことができる。【００２２】
また、前記編地は、前記基部における、前記各凸条部とこの凸条部に隣接する他の凸条部との間に、少なくとも１列の編み列が形成されていても良い。この場合、各凸条部がこれに隣接する凸条部から分離され、各凸条部間の間隔が広くなるため、側壁部を視認することができる観察者の位置の範囲が変化し、各凸条部間の間隔が狭い場合とは異なる色彩効果を発揮させることができる。尚、各凸条部間の間隔を広くし過ぎると、観察者が側壁部を視認することができる位置の範囲が狭くなり過ぎて、色彩効果が十分に発揮されなくなる、或いは、基部の視認される部分が多くなり過ぎて、美観が損なわれる虞がある。したがって、各凸条部の間隔は、１．５ｍｍ〜４ｍｍ程度となるようにすることが好ましい。【００２３】
また、前記編地における基部は、メッシュ状に形成しても良い。このようにすることで、編地が軽量化されるとともに通気性も高くなるため、当該編地により形成されたアッパーの軽量化が図られ、且つ通気性も高くなる。【００２４】
また、編糸として透明糸を用いるようにしても良い。このようにすれば、基部を目立たなくして凸条部の色彩を際立たせ、凸条部を構成する頂部及び２つの側壁部に異なる色を配置することによって奏される色彩効果を高めることができる。【００２５】
ところで、本願発明者らが鋭意実験を重ねて得た知見によれば、前記編地は、編み立て方向（編み列に沿った方向）における剛性の方が編み列と交差する方向における剛性よりも高い、即ち、編み列に沿った方向には伸縮し難く、編み列と交差する方向には伸縮し易いという特性を有している。【００２６】
そこで、上記靴においては、前記編地の編み列が、靴のソールが載置される基準面と直交する方向に対して＋６０°以内となるように配置されることが好ましい。言い換えれば、上記靴においては、前記編地の編み列が、シューセンター軸を軸周りに周回する方向に対して＋６０°以内となるように配置されることが好ましい。尚、前記基準面と直交する方向に対する角度又はシューセンター軸を軸周りに周回する方向に対する角度は、靴のつま先に向けて倒れる方向を「＋」と定義している。また、「シューセンター軸」とは、足入れした際の第２趾付け根と踵後端とを結ぶ軸を意味する。【００２７】
このようにすれば、靴の長手方向に沿って編地が伸縮し易くなることで、着用者の足の動きに追随するようにアッパーの一部又は全体が同方向に伸縮自在な状態となり、着用時のフィット感が良好なものとなる。また、靴の長手方向と交差する方向に沿って編地が伸縮し難くなるため、紐締めを行った際に、靴紐（シューレース）に作用した張力による編地の伸びが抑えられ、適切な緊締力で紐締めを行うことができる。【００２８】
尚、編地の伸びをより抑え、大きな緊締力を得るためには、編地の紐締めを行う際にシューレースに作用する張力の方向と、前記編地の編み列とを平行に近づけることが効果的である。したがって、上記靴においては、前記編地の編み列が、靴のソールが載置される基準面と直交する方向に対して＋３０°から＋６０°の範囲内となるように配置し、前記シューレースに作用する張力の方向と、編み列とが極力平行となるようにすることがより好ましい。【００２９】
また、上記靴においては、アッパーの母趾球部、小趾球部、前足部及び中足部のうちの少なくとも１つの部位が前記編地によって形成されていることが好ましい。このようにすれば、靴を着用した際の足へのフィット性が向上する。
【発明の効果】
【００３０】
以上のように、本発明に係る靴は、編地が安定した色彩効果を発揮することにより、優れた美観や躍動感を備えたものとなり、また、アッパーが耐久性と通気性とを兼ね備え、且つ、良好な形状復元性を備えたものとなる。
【図面の簡単な説明】
【００３１】
【図１】第１の経編地の組織の詳細を示した図である。
【図２】図１におけるＡ−Ａ間の断面図である。
【図３】第１の経編地の色彩効果を説明するための図である。
【図４】実施例１、比較例１及び比較例２の初期剛性比を表したグラフである。
【図５】実施例１及び比較例１の引張試験の結果を表したグラフである。
【図６】実施例１、比較例１及び比較例２の各目付、厚み及び空気量をまとめた表である。
【図７】第１実施形態に係る靴の概略構成を示した、足の外側から見た側面図である。
【図８】第１実施形態に係る靴の概略構成を示した、足の外側から見た側面図である。
【図９】第１実施形態に係る靴の概略構成を示した、足の内側から見た側面図である。
【図１０】図７におけるＢ部を拡大した拡大図である。尚、凸条部については、１つを除き、図示を省略した。
【図１１】第２実施形態に係る靴の概略構成を示した、足の外側から見た側面図である。
【図１２】図１１におけるＣ部を拡大した拡大図である。尚、凸条部については、１つを除き、図示を省略した。
【図１３】第３実施形態に係る靴の概略構成を示した、足の外側から見た側面図である。
【図１４】第２の経編地の組織の詳細を示した図である。
【図１５】図１４におけるＤ−Ｄ間の断面図である。
【図１６】第２の経編地の色彩効果を説明するための図である。
【図１７】第３の経編地の組織の詳細を示した図である。
【図１８】第４の経編地の組織の詳細を示した図である。
【図１９】第５の経編地の組織の詳細を示した図である。
【図２０】第５の経編地の変形例に係る経編地によってアッパーを形成した靴の概略構成を示した、足の外側から見た側面図である。
【発明を実施するための形態】
【００３２】
以下、本発明の具体的な実施の形態について、図面を参照して説明する。
【００３３】
まず、靴のアッパー材の一部又は全部を形成する経編地について説明する。
【００３４】
［第１の経編地１］
図１は、第１の経編地１の組織の詳細を示した図であり、図２は、図１におけるＡ−Ａ間の断面図である。同図１及び同図２に示すように、当該経編地１は、基部２と、頂部３及び当該頂部３の両側に形成された２つの側壁部４，５からなり、編み立て方向に沿って形成された凸条部６とから構成されている。
【００３５】
前記頂部３は連結糸３ｃによって連結された２本の鎖編み列３ａ，３ｂからなり、側壁部４，５は、後述するループ４ａ１，５ａ１が前記２本の鎖編み列３ａ，３ｂにそれぞれ係止された鎖編み列４ａ，５ａからなる。また、前記基部２は、前記側壁部４，５の鎖編み列４ａ，５ａが結接された鎖編み列２ａ，２ｂと、これら鎖編み列２ａ，２ｂ同士を連結する連結糸２ｃからなり、各凸条部６間に連結された連結部２ｄとから構成されている。尚、図１中において、頂部３を構成する鎖編み列３ａ，３ｂ及び側壁部４，５を構成する鎖編み列４ａ，５ａは実線、頂部３の連結糸３ｃは破線、基部２の連結糸２ｃは点線で示し、基部２の鎖編み列２ａ，２ｂは図示を省略した。
【００３６】
また、この経編地１においては、頂部３を構成する２本の鎖編み列３ａ，３ｂに第１色の編糸、側壁部４を構成する鎖編み列４ａに第２色の編糸、側壁部５の鎖編み列５ａに第３色の編糸をそれぞれ使用し、前記基部２を構成する鎖編み列２ａ，２ｂ及び前記連結糸２ｃ，３ｃには透明な編糸を使用している。尚、前記基部２を構成する鎖編み列２ａ，２ｂは、それぞれ結接される側壁部４，５の鎖編み列４ａ，５ａと同色の色糸を使用しても良く、頂部３の連結糸３ｃは、当該頂部３を構成する鎖編み列３ａ，３ｂと同色の色糸を使用するようにしても良い。
【００３７】
尚、この経編地１においては、前記基部２の鎖編み列２ａ，２ｂ、頂部３の鎖編み列３ａ，３ｂ及び連結糸３ｃ、並びに側壁部４，５の鎖編み列４ａ，５ａに用いる編糸として、ポリエステル糸やナイロン糸、レーヨン糸等のフィラメント糸の他、紡績糸などを例示することができる。また、前記基部２の連結糸２ｃとしては、ポリエステルや熱可塑性エラストマー、ナイロンなどからなる透明度の高いモノフィラメント糸を例示することができる。
【００３８】
そして、この経編地１は、複数の編針を有し、対向して配置された２列の針床及び当該針床に所定の糸を供給する供給機構を備えた公知のダブルラッセル編み機を用いて編成することができる。
【００３９】
具体的には、一方側の針床（表側の針床）において、供給機構によって供給される第１色の編糸により２つの鎖編み列３ａ，３ｂを編成しつつ、ウェール方向に隣接するこれら２つの鎖編み列３ａ，３ｂを連結糸３ｃにより連結して頂部３を形成する。
【００４０】
一方、他方側の針床（裏側の針床）において、供給機構によって供給される第２色及び第３色の編糸により、側壁部４，５を構成する２つの鎖編み列４ａ，５ａをそれぞれ編成するとともに、供給機構によって供給される透明な編糸により、基部２を構成する鎖編み列２ａ，２ｂを編成しつつ、各鎖編み列２ａ，２ｂと、これらの近傍にある他の鎖編み列２ａ，２ｂとをウェール方向に沿って複数の連結糸２ｃにより連結する。
【００４１】
ここで、本例の編地は、側壁部４，５の鎖編み列４ａ，５ａを編成する際に、頂部３の鎖編み列と対向する側（表側の針床と対向する側）にループ４ａ１，５ａ１を形成し、頂部３の鎖編み列３ａ，３ｂの編目に当該ループ４ａ１，５ａ１を挿入するようにして、側壁部４，５の鎖編み列４ａ，５ａを頂部３の鎖編み列３ａ，３ｂに係止する一方、側壁部４，５の鎖編み列４ａ，５ａを、基部２の鎖編み列２ａ，２ｂに編み込むようにして、基部２の鎖編み列２ａ，２ｂと側壁部４，５の鎖編み列４ａ，５ａとをそれぞれ結接するようにしている。
【００４２】
斯くして、基部２と頂部３とが側壁部４，５によって連結され、頂部３及び側壁部４，５からなる凸条部６が基部２上に形成された一枚の立体的な経編地が編成される。
【００４３】
このように編成された経編地１は、基部２と凸条部６とを編成時に形成するようにしているため、凸条部６の形状にバラツキが生じ難く、各凸条部６の形状がほぼ均一なものとなっている。また、凸条部６は、それぞれ鎖編み列で構成された頂部３と側壁部４，５とからなり、側壁部４，５を構成する鎖編み列４ａ，５ａは、頂部３の鎖編み列３ａ，３ｂに形成されるとともに、基部２の鎖編み列２ａ，２ｂに編み込まれているため、各凸条部６の形状安定性も高いものとなっている。
【００４４】
尚、前記基部２から頂部３までの高さｈは、前記ダブルラッセル編み機における対向して配置された２列の針床間の距離や編糸の伸縮度合いに依存するものであるが、高さｈを高くするほど凸条部６の形状は崩れ易くなるため、当該高さｈが１ｍｍ〜４ｍｍ程度となるように、針床間の距離を変える、或いは、編成時のテンション等を調整することが好ましい。
【００４５】
次に、経編地１が奏する色彩効果について、図３を参照しつつ、以下説明する。
【００４６】
この経編地１は、編み立て方向と交差する方向から当該経編地１を見るときの観察者の位置に応じて、視認される色彩が変化する。具体的に言うと、観察者が図３の紙面に向かって左手側の領域Ｒ１内から経編地１を見た場合には、頂部３に加えて側壁部４が視認されるため、観察者は第１及び第２色を視認することができる一方、観察者にとって側壁部５は死角に位置するため、第３色は観察者に視認されない。
【００４７】
これに対して、観察者が図３の紙面に向かって右手側の領域Ｒ２内から経編地１を見た場合、頂部３に加えて側壁部５が視認されるため、観察者は第１及び第３色を視認することができる一方、側壁部４は観察者から見て死角に位置するため、第２色は観察者に視認されない。尚、本例において、領域Ｒ１及び領域Ｒ２の角度は、およそ４０°〜６０°である。
【００４８】
図３中の領域Ｒ３及び領域Ｒ４は、それぞれ領域Ｒ１及び領域Ｒ２に付随する領域であり、これら領域Ｒ３及び領域Ｒ４は、例えば、観察者の位置が領域Ｒ１内から領域Ｒ２内へと変わる、即ち、観察者が第１及び第２色を視認している状態から主に第１及び第３色を視認している状態へと移り変わる間を補完して、美妙な色彩効果を奏するのに有効な働きをする領域である。
【００４９】
このように、経編地１は、観察者が当該経編地１を見る際の位置に応じて、観察者が視認する色が変化する色彩効果を奏するものである。尚、上記経編地１においては、連結糸２ｃに透明な編糸を使用しているため、当該連結糸２ｃに有色糸を用いた場合よりも凸条部６の色彩が際立つようになっている。
【００５０】
次に、経編地１の特性について説明する。
【００５１】
図４は、前記経編地１（実施例１）、従来のランニング用シューズに用いられるダブルラッセルメッシュ（比較例１）及びレーシング用シューズに用いられるダブルラッセルメッシュ（比較例２）について、ＪＩＳ  Ｌ１０９６に準拠した引張試験を行い、これにより得られた編み列に沿った方向におけるひずみε１と、編み列と直交する方向におけるひずみε２との比（ε１／ε２）たる初期剛性比を算出した結果を示したグラフである。
【００５２】
同図４から分かるように、実施例１は初期剛性比が２以上となっており、編み列に沿った方向（凸条部６に沿った方向）における剛性の方がこれと直交する方向における剛性よりも高く、その差も大きい。このことから、前記経編地１は、凸条部６に沿った方向には伸縮し難く、凸条部６と直交する方向には伸縮し易いという特性を有していることが分かる。これに対して、比較例１は、初期剛性比が０．８程度であり、編み列に沿った方向とこれと直交する方向における剛性の差が小さく、実施例１のような特性を有していない。一方、比較例２は、初期剛性比の値が０．４程度であり、編み列に沿った方向における剛性よりも、これと直交する剛性の方が高く、編み列と直交する方向よりも編み列に沿った方向に伸縮し易くなっており、実施例１のような色彩効果を発揮するものでなく、当該比較例２を靴に使用しても、色彩効果を伴う優れた美観を有するものとはならない。
【００５３】
図５は、実施例１、比較例１について、上記と同様に、ＪＩＳ  Ｌ１０９６に準拠した引張試験を行った結果を示したグラフであり、横軸はひずみε、縦軸は引張荷重（Ｎ）である。尚、この引張試験においては、各試料片に対して編み列に沿った方向に引張荷重をかけた。
【００５４】
図５から見てとれるように、比較例１においては、ヒステリシス現象が顕著に現れており、大きな残留ひずみが生じているのに対し、実施例１では発生している残留ひずみが極めて小さい。つまり、前記経編地１は、従来のダブルラッセルメッシュと比較し、編み列に沿った方向において、極めて高い形状復元性を有している。
【００５５】
また、図６は、実施例１、比較例１及び比較例２について、ＪＩＳ  Ｌ１０９６に準拠したフラジール試験法によって空気量を測定した結果をまとめた表であり、表中の目付及び厚みは、試験に用いた各試料片の目付及び厚みを表している。
【００５６】
同図６から分かるように、実施例１及び比較例２と、比較例１とでは、空気量が大きく異なり、実施例１及び比較例２は良好な通気性を備えている。また、実施例１と比較例２とを比べると、実施例１の方が目付も大きく、且つ厚いにもかかわらず、比較例２と同等の通気性を有している。このことから、前記経編地１は、目付を大きくし、且つ厚みを持たせて適切な耐久性を確保しつつ、十分な通気性も確保できることが分かる。
【００５７】
ついで、前記経編地１によってアッパーの一部を形成した靴１０について説明する。
【００５８】
本例の靴１０は、図７に示すように、着地の衝撃を吸収するソール１１や、足の甲を包むアッパー１２、アッパー１２を足の甲にフィットさせるシューレース１３などを備えている。尚、図７は、靴１０の概略構成を示したものであり、細部については図示を省略している。
【００５９】
前記アッパー１２は、図８及び図９に示すように、母趾球部１２ａ、小趾球部１２ｂ、前足部１２ｃ及び中足部１２ｄを含む領域の外皮に前記経編地１が用いられている。尚、図８及び図９においては、経編地１の表面に現れる凸条部６などの形状については図示を省略している。
【００６０】
このように、アッパー１２の外皮の一部に前記経編地１を使用することによって、着用者の足の動きに応じて、経編地１の表面に対する観察者の相対的な位置が変化し、経編地１の色彩効果が発揮されるため、靴１０は優れた美観や躍動感を備えたものとなっている。
【００６１】
また、上述したように、前記経編地１においては、凸条部６の形状のバラツキが非常に少ないため、色彩効果が安定して発揮されるとともに、凸条部６の形状安定性が高いため、着用者の動きによって外力が作用したとしても、色彩効果が安定して発揮される。
【００６２】
更に、図１０に示すように、前記靴１０においては、経編地１の編み列、言い換えれば、凸条部６が、ソール１１が載置される基準面Ｍと直交する方向（矢印Ｎ）に対して、所定角度θ１（本例においてはおよそ＋３０°）だけ傾斜して配置された状態となるように、当該経編地１を用いるようにし、経編地１が靴１０の長手方向に沿って伸縮し易く、これと交差する方向に沿って伸縮し難い状態となるようにしている。尚、前記靴１０の長手方向に沿って経編地１が伸縮し易い状態にし、且つ、前記長手方向と交差する方向に沿って経編地１が伸縮し難い状態にするためには、前記角度θ１を＋６０°以内にすることが好ましい。
【００６３】
このようにすることで、着用者の足の動きに追従するように、前記母趾球部１２ａ、小趾球部１２ｂ、前足部１２ｃ及び中足部１２ｄを含む領域が靴１０の長手方向に沿って伸縮するようになり、着用時のフィット感が良好なものとなる。
【００６４】
また、靴１０の長手方向と交差する方向には経編地１が伸縮し難いため、紐締めを行う際に、シューレース１３に作用した張力による経編地１の伸びが抑制される。したがって、適切な緊締力で紐締め行うことができる。
【００６５】
尚、紐締め時にシューレース１３に作用する張力の方向と、経編地１の凸条部６に沿った方向とが平行に近づくほど、紐締めを行う際に、経編地１の伸びがより抑えられ、大きな緊締力を得ることができる。したがって、経編地１の凸条部６が、ソール１１が載置される基準面Ｍと直交する方向（矢印Ｎ）に対して、＋３０°から＋６０°だけ傾斜して配置された状態となるように、当該経編地１をアッパー１２に用いるようにすることがより好ましく、例えば、図１１及び図１２に示した靴２０のように、角度θ２がおよそ＋４５°となるように、経編地１をアッパー１２の一部に用いることが好ましい。
【００６６】
また、上述したように、前記経編地１は、従来のランニング用シューズやレーシング用シューズに用いられるダブルラッセルメッシュと比較して、形状復元性が優れているという特性を有しているため、当該経編地１をアッパー１２の一部として使用することによって、靴１０を繰り返し着用した際のフィット感の低下を抑えることができる。
【００６７】
更に、本例の靴１０は、通気性と耐久性とを両立可能な経編地１によってアッパー１２の一部が形成されていることにより、当該アッパー１２が通気性と耐久性とを兼ね備えたものとなっている。
【００６８】
以上、本発明の実施形態について説明したが、本発明が採り得る具体的な態様は何らこれらに限定されるものではない。
【００６９】
例えば、上例の靴１０においては、母趾球部１２ａ、小趾球部１２ｂ、前足部１２ｃ及び中足部１２ｄを含む領域の外皮に前記経編地１を用いるようにしているが、これに限られるものではなく、図１３に示す靴３０のように、後足部を含む領域の外皮に経編地１を用いるようにしても良い。
【００７０】
また、上例の靴１０においては、アッパー１２の外皮に経編地１を用いるようにしているが、これに限られるものでなく、アッパー１２の内皮の一部又は全部を経編地１によって形成しても良い。このようにしても、本発明に係る靴は、経編地１の特性、即ち、凸条部６に沿った方向に伸縮し難く、これと直交する方向に伸縮し易いこと、形状復元性が高いこと、並びに、耐久性及び通気性を兼ね備えることに起因した上記効果を奏するものとなる。
【００７１】
また、アッパー１２の外皮及び内皮の一部又は全部を経編地１によって形成しても良い。このようにしても、本発明に係る靴は、優れた美観や躍動感を備え、且つアッパーが耐久性及び通気性に優れ、良好な形状復元性を備えたものとなる。
【００７２】
更に、上例においては、アッパーの一部に第１の経編地１を用いるようにしているが、これに代えて、以下に述べる第２から第５の経編地を用いるようにしても良い。
【００７３】
［第２の経編地］
図１４及び図１５を参照しつつ、第２の経編地４１について説明する。尚、図１４においては、基部２の鎖編み列２ａ，２ｂの図示を省略し、図１５においては、図１４では図示していない凸条部も図示し、計３つの凸条部を図示するようにした。また、以下の説明において、経編地１と同一の構成については、同一の符号を付し、その詳細な説明は省略する。
【００７４】
図１４及び図１５に示すように、当該第２の経編地４１は、前記基部２の連結部２ｄに当該基部２を構成する鎖編み列２ｅが連結糸２ｃとは別の編糸によって編成され、当該鎖編み列２ｅを含む鎖編み列２ａ，２ｂ，２ｅと、これらの近傍に位置する他の鎖編み列２ａ，２ｂ，２ｅとがウェール方向において複数の連結糸２ｃにより連結され編成されている。尚、前記鎖編み列２ｅに用いられる編糸は有色無色を問わないが、透明な編糸を用いることによって、凸条部６の色彩を容易に際立たせることができる。
【００７５】
この経編地４１においては、基部２の連結部２ｄに鎖編み列２ｅが更に編成されていることにより、経編地１と比較して各凸条部６間の間隔が広がっている。そのため、図１６に示すように、頂部３及び側壁部４が視認される領域Ｒ１’並びに頂部３及び側壁部５が視認される領域Ｒ２’は、経編地１における領域Ｒ１及び領域Ｒ２よりも狭くなる一方、領域Ｒ３’及び領域Ｒ４’は、領域Ｒ３及び領域Ｒ４よりも広くなっている。
【００７６】
このように、当該経編地４１は、領域Ｒ３’及び領域Ｒ４’が広がっていることにより、より一層鮮明な色彩変化を発揮する。
【００７７】
尚、連結部２ｄに編成する鎖編み列２ｅの数は、必ずしも１列に限られず、２列以上であっても良いが、凸条部６間の間隔が空きすぎると、領域Ｒ１’及び領域Ｒ２’が狭くなり過ぎて色彩効果が十分に発揮されなくなる、或いは、基部２の露出が多くなり過ぎて美感が損なわれる虞がある。したがって、凸条部６の高さｈも考慮して、領域Ｒ１’及び領域Ｒ２’の範囲が適切な値（好ましくはおよそ２０°以上）となり、領域Ｒ３’及び領域Ｒ４’の範囲が適切な値（好ましくは４０°以上）となり、各凸条部６間の間隔ｌが１．５ｍｍ〜４ｍｍ程度（編針３本〜５本分程度）となるように、鎖編み列２ｅの数を決めることが好ましい。
【００７８】
［第３の経編地］
次に、図１７を参照しつつ、第３の経編地５１について、以下説明する。尚、上記と同様に、経編地１と同一の構成については、同一の符号を付し、その詳細な説明は省略する。また、図１７においても、基部２の鎖編み列２ａ，２ｂの図示を省略した。
【００７９】
図１７に示すように、第３の経編地５１は、前記基部２の連結部２ｄに鎖編み列２ｅを編成するとともに、当該鎖編み列２ｅを含む鎖編み列２ａ，２ｂ，２ｅの一部と、これらの近傍に位置する他の鎖編み列２ａ，２ｂ，２ｅの一部とが、基部２の連結部２ｄが所謂メッシュ状となるように、ウェール方向において複数の連結糸２ｃにより連結され編成されている。尚、鎖編み列２ｅは、図１７において実線で示した。
【００８０】
この経編地５１は、経編地１と同様に、当該経編地５１を見る際の観察者の位置に応じて色彩が変化する色彩効果を奏し、また、基部２の連結部２ｄをメッシュ状にすることで、経編地５１自体の軽量化を図ることができ、当該経編地５１によって靴のアッパーを形成することで、容易に通気性を確保することができる。
【００８１】
［第４の経編地］
ついで、第４の経編地６１について、図１８を参照しつつ、以下説明する。尚、以下の説明においても上記と同様に、経編地１と同一の構成については、同一の符号を付し、その詳細な説明は省略する。
【００８２】
図１８に示すように、この経編地６１は、上記経編地１，４１，５１と異なり、基部２の連結部２ｄにループからなる編み列２ｆを連結糸２ｃによって形成しつつ、連結糸２ｃを側壁部４，５の各鎖編み列４ａ，５ａに結接し、基部２の連結部２ｄがメッシュ状となるように編成されている。
【００８３】
この経編地６１についても、前記経編地５１と同様に、観察者が当該経編地６１を見る際の位置に応じて色彩が変化する色彩効果を発揮し、また、連結部２ｄをメッシュ状としたことによって、編地自体の軽量化が図れ、当該経編地５１を靴のアッパーに使用することで、容易に通気性を確保することができる。
【００８４】
［第５の経編地］
次に、第５の経編地７１について、図１９を参照しつつ、以下説明する。尚、上記と同様に、経編地１と同一の構成については、同一の符号を付し、その詳細な説明を省略する。また、図１９においては、基部２全体の図示を省略した。
【００８５】
この経編地７１は、図１９に示すように、各凸条部６の頂部３の一部と、これと隣接する他の凸条部６の頂部３の一部との間を、複数の連結糸７によって連結し、頂部３とほぼ同じ高さの平面内にメッシュ状の組織を形成するように編成されている。尚、前記連結糸７は、有色糸であることが好ましい。また、連結糸７は、図１９において点線で示した。
【００８６】
この経編地７１においては、頂部３とほぼ同じ高さの平面内にメッシュ状の組織が形成されていることにより、観察者によって、メッシュの開口部分を通して凸条部６が視認されるようになるため、メッシュ状の組織がない場合と比較して、複雑な模様を表現することができる。また、凸条部６が他の凸条部６と連結された状態となっているため、凸条部６の形状安定性をより高めることができる。
【００８７】
尚、この第５の経編地７１においては、頂部３同士を連結する複数の連結糸７によって、幅広の編み領域を編成し、頂部３とほぼ同じ高さの平面内に、切れ目（小さな開口部）を有する編み組織を形成するようにしても良い。
【００８８】
図２０は、上記のような切れ目８１ａを有する編み組織が形成された経編地８１をアッパー材に用いた靴４０を示す図である。同図２０に示すように、この靴４０は、アッパー１２の母趾球部、小趾球部、前足部、中足部及び後足部を含む、外皮のほぼ全体に経編地８１が用いられている。
【００８９】
そして、この靴４０においては、複数の連結糸７によって編成された幅広の編み領域が観察者に視認されるとともに、凸条部６の頂部３及び側壁部４，５が前記切れ目８１ａを通して視認されるため、その美観が、幅広の編み領域が編成されていないものとは異なったものとなる。また、前記連結糸７の色、頂部３の鎖編み列３ａ，３ｂ及び各側壁部４，５の鎖編み列４ａ，５ａの編糸の色の組み合わせを変えることで、外観が大きく変化する。したがって、経編地８１によってアッパー１２を形成することで、靴の外観に容易に多様性を持たせることができる。また、幅広の編み領域が編成されていないものと比べて、フィット性をより一層向上させることができる。
【００９０】
尚、本発明に係る靴のアッパーに用いられる経編地が採り得る態様は何らこれらに限定されるものではない。
【００９１】
例えば、上述した各経編地１，４１，５１，６１，７１，８１において、頂部３を構成する鎖編み列３ａ，３ｂを第１色の編糸、一方の側壁部４を構成する鎖編み列４ａを第２色の編糸、他方の側壁部５を構成する鎖編み列５ａを第３色の編糸で編成し、頂部３及び各側壁部４，５にそれぞれ異なる色を配置するようにしているが、これに限られるものではなく、頂部３及び各側壁部４，５のうち、いずれか１つが他の部分と異なる色となるようにすれば良い。
【００９２】
具体的に言えば、頂部３及び側壁部４を構成する各鎖編み列３ａ，３ｂ，４ａを第１色の編糸によって編成し、側壁部５を構成する鎖編み列５ａを第２色の編糸によって編成するようにしても良い。この場合、観察者が側壁部４側から経編地を見ると、第１色のみが視認され、側壁部５側から見ると、第１及び第２色が視認される。
【００９３】
また、頂部３の鎖編み列３ａ，３ｂを第１色の編糸によって編成し、各側壁部４，５の鎖編み列４ａ，５ａを第２色の編糸で編成するようにしても良く、この場合には、観察者が各側壁部４，５側から経編地を見ると、第１及び第２色が視認され、経編地を正面から見ると、ほぼ第１色のみが視認される。
【００９４】
このように、頂部３及び各側壁部４，５のうち、いずれか１つが他の部分と異なる色となるようにすれば、編み立て方向と交差する方向から経編地を見るときの観察者の位置に応じて色彩が変化するという色彩効果を発揮させることが可能である。
【００９５】
また、各経編地１，４１，５１，６１，７１，８１においては、２本の鎖編み列３ａ，３ｂを連結糸３ｃによって連結して頂部３を編成するようにしているが、頂部３を構成する鎖編み列の数は、これに限られるものではなく、頂部３は、３列以上の鎖編み列を連結糸によって連結して編成しても良い。
【００９６】
更に、上記各経編地１，４１，５１，６１，７１，８１においては、連結糸２ｃとして透明糸を用いるようにしているが、これに限られるものではなく、有色糸であっても良い。
【符号の説明】
【００９７】
１，４１，５１，６１，７１，８１  経編地
２    基部
２ａ，２ｂ  鎖編み列
２ｃ  連結糸
２ｄ  連結部
２ｅ  鎖編み列
２ｆ  編み列
３    頂部
３ａ，３ｂ  鎖編み列
３ｃ  連結糸
４，５  側壁部
４ａ，５ａ  鎖編み列
４ａ１，５ａ１  ループ
６    凸条部
７    連結糸
１０，２０，３０，４０  靴
１１  ソール
１２  アッパー
１３  シューレース
【図１】
2017208366.tif 000003
【図２】
2017208366.tif 000004
【図３】
2017208366.tif 000005
【図４】
2017208366.tif 000006
【図５】
2017208366.tif 000007
【図６】
2017208366.tif 000008
【図７】
2017208366.tif 000009
【図８】
2017208366.tif 000010
【図９】
2017208366.tif 000011
【図１０】
2017208366.tif 000012
【図１１】
2017208366.tif 000013
【図１２】
2017208366.tif 000014
【図１３】
2017208366.tif 000015
【図１４】
2017208366.tif 000016
【図１５】
2017208366.tif 000017
【図１６】
2017208366.tif 000018
【図１７】
2017208366.tif 000019
【図１８】
2017208366.tif 000020
【図１９】
2017208366.tif 000021
【図２０】
2017208366.tif 000022
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
基部と、該基部上に編み立て方向に沿って相互に平行に形成された複数の凸条部とを有し、
前記凸条部は、編み立て方向に沿って延びた編み列からなる頂部と、編み立て方向に沿って延び、前記基部側が該基部に編み込まれるとともに、前記頂部側が該頂部に係止され、該基部と頂部とを連結するように編成された編み列からなる２つの側壁部とからなり、
前記頂部及び２つの側壁部のうち、少なくとも１つの部位は、他の部位と異なる色が配置されている編地によって、アッパー材の一部又は全部が形成されており、
前記頂部は、連結糸によって連結された少なくとも２列の鎖編み列からなり、
前記２つの側壁部は、それぞれ鎖編み列からなり、
前記側壁部の鎖編み列は、頂部側に形成されたループが前記頂部の鎖編み列中に挿入状態で係止されていることを特徴とする靴。
【請求項２】
基部と、該基部上に編み立て方向に沿って相互に平行に形成された複数の凸条部とを有し、
前記凸条部は、編み立て方向に沿って延びた編み列からなる頂部と、編み立て方向に沿って延び、前記基部側が該基部に編み込まれるとともに、前記頂部側が該頂部に係止され、該基部と頂部とを連結するように編成された編み列からなる２つの側壁部とからなり、
前記頂部及び２つの側壁部のうち、少なくとも１つの部位は、他の部位と異なる色が配置されている編地によって、アッパー材の一部又は全部が形成されており、
前記編み列は、靴のソールが載置される基準面と直交する方向に対して＋６０°以内となるように配置されていることを特徴とする靴。
【請求項３】
前記各凸条部における頂部の一部と、該凸条部に隣接する他の凸条部における頂部の一部との間に前記連結糸が架け渡され、メッシュ部が形成されていることを特徴とする請求項１に記載の靴。
【請求項４】
前記各凸条部における頂部の一部と、該凸条部に隣接する他の凸条部における頂部の一部との間を連結するように編成された、少なくとも１つの切れ目を有する編み領域が形成されていることを特徴とする請求項１又は２に記載の靴。
【請求項５】
２つの側壁部にて異なる色が配置されていることを特徴とする請求項１〜４のいずれか１項に記載の靴。
【請求項６】
２つの側壁部に配置されている色が、１つの編み列中で変化することを特徴とする請求項５に記載の靴。
【請求項７】
２つの側壁部の少なくとも一部が接していることを特徴とする請求項１〜６のいずれか１項に記載の靴。
【請求項８】
２つの側壁部の少なくとも一部が繊維によって連結されていることを特徴とする請求項１〜６のいずれか１項に記載の靴。
【請求項９】
前記基部における、前記各凸条部と該凸条部に隣接する他の凸条部との間に、少なくとも１列の編み列が形成されていることを特徴とする請求項１〜８のいずれか１項に記載の靴。
【請求項１０】
前記基部は、メッシュ状に形成されていることを特徴とする請求項１〜９のいずれか１項に記載の靴。
【請求項１１】
前記基部は、透明糸からなることを特徴とする請求項１〜１０のいずれか１項に記載の靴。
【請求項１２】
前記編み列は、前記靴のソールが載置される基準面と直交する方向に対して＋３０°から＋６０°の範囲内となるように配置されていることを特徴とする請求項１〜１１のいずれか１項に記載の靴。
【請求項１３】
少なくともアッパーの母趾球部が、前記編地によって形成されていることを特徴とする請求項１〜１２のいずれか１項に記載の靴。
【請求項１４】
少なくともアッパーの小趾球部が、前記編地によって形成されていることを特徴とする請求項１〜１２のいずれか１項に記載の靴。
【請求項１５】
少なくともアッパーの前足部が、前記編地によって形成されていることを特徴とする請求項１〜１２のいずれか１項に記載の靴。
【請求項１６】
少なくともアッパーの中足部が、前記編地によって形成されていることを特徴とする請求項１〜１２のいずれか１項に記載の靴。
【国際調査報告】
2017208366.tif 000023
2017208366.tif 000024
2017208366.tif 000025
2017208366.tif 000026